(57)【要約】【課題】作業性良く水洗大便器本体に結合することができる水洗大便器用の貯水タンクを提供する。【解決手段】本発明は、水洗大便器本体（２）上に載置され、この水洗大便器本体に結合して使用される水洗大便器用の貯水タンク（８）であって、水洗大便器本体に洗浄水を流出させるタンク排水口が設けられたタンク底面（１４ａ）、及びこのタンク底面から上方に延びるタンク側面（１４ｂ）を備えたタンク本体（１４）と、タンク底面外周の閉曲線（Ｃ）を鉛直方向に投影した領域よりも外側に張り出した張出部（１６ａ）を備えたタンク固定部（１６）と、閉曲線を鉛直方向に投影した領域よりも外側に配置され、水洗大便器本体及びタンク本体の外部からの操作により、張出部を水洗大便器本体に固定して、タンク固定部を介してタンク本体を水洗大便器本体に結合する固定手段（１０、２２ｂ）と、を有することを特徴としている。【選択図】図２
2010007451.tif 000002
【特許請求の範囲】
【請求項１】
水洗大便器本体上に載置され、この水洗大便器本体に結合して使用される水洗大便器用の貯水タンクであって、
上記水洗大便器本体に洗浄水を流出させるタンク排水口が設けられたタンク底面、及びこのタンク底面から上方に延びるタンク側面を備えたタンク本体と、
上記タンク底面外周の閉曲線を鉛直方向に投影した領域よりも外側に張り出した張出部を備えたタンク固定部と、
上記閉曲線を鉛直方向に投影した領域よりも外側に配置され、上記水洗大便器本体及び上記タンク本体の外部からの操作により、上記張出部を上記水洗大便器本体に固定して、上記タンク固定部を介して上記タンク本体を上記水洗大便器本体に結合する固定手段と、
を有することを特徴とする貯水タンク。
【請求項２】
上記タンク本体と上記タンク固定部が一体に形成されている請求項１記載の貯水タンク。
【請求項３】
上記タンク本体と上記タンク固定部が別体に形成されている請求項１記載の貯水タンク。
【請求項４】
上記タンク本体が樹脂で形成され、上記タンク固定部が金属で形成されている請求項３記載の貯水タンク。
【請求項５】
上記タンク本体は、そのタンク底面から下方に延びる、一体に形成された固定部固定用ボルトを備え、この固定部固定用ボルトは上記タンク固定部を貫通して延び、上記固定部固定用ボルトに連結ナットを螺合させることにより、上記タンク固定部が上記タンク本体に固定される請求項３又は４記載の貯水タンク。
【請求項６】
上記固定部固定用ボルトは２つ設けられ、各固定部固定用ボルトは、上記タンク本体と上記タンク固定部が接触する面のほぼ対角線上に配置されている請求項５記載の貯水タンク。
【請求項７】
上記タンク固定部は、上記張出部が鉛直方向に移動できるように、弾性変形される可撓性部を備えている請求項３乃至６の何れか１項に記載の貯水タンク。
【請求項８】
上記タンク本体は、上記固定手段の上方に張り出すように構成されている請求項１乃至７の何れか１項に記載の貯水タンク。
【請求項９】
更に、洗浄水を供給する給水手段を有し、上記タンク固定部の張出部には、上記給水手段を固定するための給水手段固定部が設けられている請求項１乃至８の何れか１項に記載の貯水タンク。
【請求項１０】
更に、給水手段固定用プレートと、この給水手段固定用プレートに上記給水手段を固定する給水手段固定手段と、を有し、上記給水手段は上記給水手段固定用プレートを介して上記給水手段固定部に固定される請求項９記載の貯水タンク。
【請求項１１】
上記給水手段固定手段は、所定の幅を有し、上記給水手段の周囲を抑え付けて上記給水手段を上記給水手段固定用プレートに固定する固定用バンドである請求項１０記載の貯水タンク。
【請求項１２】
更に、上記給水手段固定部に対する上記給水手段固定用プレートの固定位置を調整する固定位置調整手段を有する請求項１０又は１１記載の貯水タンク。
【請求項１３】
ボウル部、排水トラップ管路、及び貯水タンクを載置するタンク載置面を備えた水洗大便器本体と、
上記タンク載置面に載置された請求項１乃至１２の何れか１項に記載の貯水タンクと、
を有することを特徴とする水洗大便器。
【請求項１４】
上記水洗大便器本体は陶器で形成されており、上記貯水タンクは、上記タンク載置面に形成された少なくとも３つの支持用突起上に載置される請求項１３記載の水洗大便器。
【発明の詳細な説明】
【技術分野】
【０００１】
本発明は貯水タンクに関し、特に、水洗大便器本体に結合して使用される水洗大便器用の貯水タンク及びそれを備えた水洗大便器に関する。
【背景技術】
【０００２】
実開平４−８９１６８号公報（特許文献１）には、便器の洗浄水タンク固定構造が記載されている。この洗浄水タンク固定構造においては、洗浄水タンクの底面に、固定ボルトを着脱自在に取り付けることができる係合部が設けられている。この構造により、固定ボルトが洗浄水タンクの底面から下方に向けて突出するように固定される。洗浄水タンクから下方に向けて突出する固定ボルトを便器に設けられた取付け孔に挿入し、固定ボルトにナットを螺合させることにより、洗浄水タンクが便器に固定される。
【０００３】
また、実公平２−３４２８４号公報（特許文献２）には、便器とタンクの固定構造が記載されている。この固定構造においては、便器から鉛直上方に突出するようにボルトが取り付けられており、このボルトはタンクの底面に形成された穴を貫通して、タンクの内側まで延びている。さらに、タンクの内側まで延びたボルトにナットを螺合させることにより、タンクを便器に固定している。
【先行技術文献】
【特許文献】
【０００４】
【特許文献１】実開平４−８９１６８号公報
【特許文献２】実公平２−３４２８４号公報
【発明の概要】
【発明が解決しようとする課題】
【０００５】
しかしながら、実開平４−８９１６８号公報に記載された固定構造においては、洗浄水タンクから下方に向けて突出する固定ボルトにナットを螺合させる必要があるため、固定する際の作業性が悪いという問題がある。即ち、洗浄水タンクに取り付けられた固定ボルトの先端が便器の内部に突出する構造の便器においては、便器の内部に手指を挿入して固定ボルトにナットを螺合させる必要がある。一般に、便器の内部に手指を挿入するための開口部は、目立つことがないように便器の背面に設けられている。このため、便器に固定された洗浄水タンクを取り外すには、一旦便器を洗浄水タンクごと移動させて便器背面の開口部を露出させなければ、固定ボルトに螺合されたナットを取り外すことができない。
【０００６】
また、洗浄水タンクに取り付けられた固定ボルトの先端が便器の外部に突出する構造の便器においては、便器を移動させることなく固定ボルトとナットを螺合させることができるので、作業性はあまり悪くないが、固定ボルトの先端が外部に露出されるので、便器の外観が損なわれるという問題がある。
【０００７】
一方、実公平２−３４２８４号公報に記載された固定構造においては、タンク上方の開口部を介して上方からナットをボルトに螺合させることができるので、作業性は良好である。しかしながら、ボルトがタンクを貫通して延びているため、ボルトとタンクの間の水密性を確保する必要がある。従って、施工不良や、水密性を確保するためのシールの劣化等により漏水する虞があるという問題がある。
【０００８】
従って、本発明は、漏水の虞なく、作業性良く水洗大便器本体に結合することができる水洗大便器用の貯水タンク及びそれを備えた水洗大便器を提供することを目的としている。
【課題を解決するための手段】
【０００９】
上述した課題を解決するために、本発明は、水洗大便器本体上に載置され、この水洗大便器本体に結合して使用される水洗大便器用の貯水タンクであって、水洗大便器本体に洗浄水を流出させるタンク排水口が設けられたタンク底面、及びこのタンク底面から上方に延びるタンク側面を備えたタンク本体と、タンク底面外周の閉曲線を鉛直方向に投影した領域よりも外側に張り出した張出部を備えたタンク固定部と、閉曲線を鉛直方向に投影した領域よりも外側に配置され、水洗大便器本体及びタンク本体の外部からの操作により、張出部を水洗大便器本体に固定して、タンク固定部を介してタンク本体を水洗大便器本体に結合する固定手段と、を有することを特徴としている。
【００１０】
このように構成された本発明においては、タンク底面外周の閉曲線を鉛直方向に投影した領域よりも外側に張り出した張出部が、閉曲線を鉛直方向に投影した領域よりも外側に配置された固定手段により、水洗大便器本体に固定される。タンク本体は、タンク固定部を介して水洗大便器本体に結合される。
【００１１】
このように構成された本発明によれば、水洗大便器本体及びタンク本体の外部から固定手段を操作することにより、タンク本体が水洗大便器本体に結合されるので、貯水タンクを作業性良く水洗大便器本体に結合することができる。また、タンク底面外周の閉曲線を鉛直方向に投影した領域よりも外側に張り出した張出部が、固定手段によって水洗大便器本体に結合されるので、貯水タンクを固定するためにタンク本体に貫通穴を設ける必要がなく、確実に漏水を防止することができる。
【００１２】
本発明において、好ましくは、タンク本体とタンク固定部は一体に形成されている。
このように構成された本発明によれば、タンク本体とタンク固定部が一体に形成されているので、部品点数を削減することができ、生産コストを抑制することができる。
【００１３】
本発明において、好ましくは、タンク本体とタンク固定部は別体に形成されている。
このように構成された本発明によれば、タンク本体とタンク固定部が別体に形成されているので、それらを異なる材料で形成することができ、タンク本体、タンク固定部に夫々適した材料を選択することができる。
【００１４】
本発明において、好ましくは、タンク本体が樹脂で形成され、タンク固定部は金属で形成されている。
このように構成された本発明によれば、洗浄水と接触するタンク本体を樹脂で形成することにより、タンク本体の腐食等の劣化を防止することができると共に、貯水タンクの固定時に大きな力が作用するタンク固定部を金属で形成ことにより、貯水タンク固定時におけるタンク固定部の破壊を防止することができる。
【００１５】
本発明において、好ましくは、タンク本体は、そのタンク底面から下方に延びる、一体に形成された固定部固定用ボルトを備え、この固定部固定用ボルトはタンク固定部を貫通して延び、固定部固定用ボルトに連結ナットを螺合させることにより、タンク固定部がタンク本体に固定される。
【００１６】
このように構成された本発明によれば、タンク本体とタンク固定部が、タンク本体に一体に形成された固定部固定用ボルトにより固定されるので、タンク本体に穴を設けることなく、タンク本体とタンク固定部をボルト止めすることができ、タンク本体からの漏水を確実に防止することができる。
【００１７】
本発明において、好ましくは、固定部固定用ボルトは２つ設けられ、各固定部固定用ボルトは、タンク本体とタンク固定部が接触する面のほぼ対角線上に配置されている。
【００１８】
このように構成された本発明によれば、各固定部固定用ボルトは、タンク本体とタンク固定部が接触する面のほぼ対角線上に配置されているので、タンク本体側面からの外力に抗して、タンク本体をタンク固定部に強固に固定することができる。
【００１９】
本発明において、好ましくは、タンク固定部は、張出部が鉛直方向に移動できるように、弾性変形される可撓性部を備えている。
このように構成された本発明によれば、タンク固定部が可撓性部を備えているので、固定手段により張出部に過大な力が加わった場合にも、可撓性部が弾性変形されることにより張出部の移動が許容され、タンク固定部全体の変形を回避することができる。これにより、タンク固定部全体が変形されることによる不具合の発生を防止することができる。
【００２０】
本発明において、好ましくは、タンク本体は、固定手段の上方に張り出すように構成されている。
このように構成された本発明によれば、タンク本体が固定手段の上方に張り出すように構成されているので、タンク本体外部からの固定手段の操作を可能にしながら、タンク本体の内容積を大きくすることができる。
【００２１】
本発明において、好ましくは、更に、洗浄水を供給する給水手段を有し、タンク固定部の張出部には、給水手段を固定するための給水手段固定部が設けられている。
このように構成された本発明によれば、タンク本体に給水手段取り付け用の貫通穴等を設けることなく給水手段を固定することができるので、給水手段の取り付けに伴う漏水等の危険を回避することができる。また、給水手段がタンク固定部に取り付けられているので、給水手段をタンク本体と共に取り外すことができ、取り付け、取り外しの際の、給水手段とタンク本体の干渉や、干渉を避けるための煩雑さを回避することができる。
【００２２】
本発明において、好ましくは、更に、給水手段固定用プレートと、この給水手段固定用プレートに給水手段を固定する給水手段固定手段と、を有し、給水手段は給水手段固定用プレートを介して給水手段固定部に固定される。
このように構成された本発明によれば、給水手段が給水手段固定用プレートを介して給水手段固定部に固定されるので、給水手段を容易に固定することができる。また、このように構成された本発明によれば、給水手段固定用プレートを交換することにより、種々の給水手段を同一の給水手段固定部に取り付けることができる。
【００２３】
本発明において、好ましくは、給水手段固定手段は、所定の幅を有し、給水手段の周囲を抑え付けて給水手段を給水手段固定用プレートに固定する固定用バンドである。
このように構成された本発明によれば、給水手段が固定用バンドにより固定されるので、固定用バンドとして汎用品を流用することができる。また、固定用バンドによる固定は、給水手段を上方から覆い隠してしまう形態の給水手段固定手段を使用した場合に比べ、施工性を良好にすることができる。
【００２４】
本発明において、好ましくは、更に、給水手段固定部に対する給水手段固定用プレートの固定位置を調整する固定位置調整手段を有する。
このように構成された本発明によれば、給水手段固定用プレートの固定位置が固定位置調整手段により調整されるので、水洗大便器本体等の形状誤差を吸収して、適正な位置に給水手段を固定することができる。
【００２５】
また、本発明の水洗大便器は、ボウル部、排水トラップ管路、及び貯水タンクを載置するタンク載置面を備えた水洗大便器本体と、タンク載置面に載置された本発明の貯水タンクと、を有することを特徴としている。
【００２６】
本発明の水洗大便器において、水洗大便器本体は陶器で形成されており、貯水タンクは、タンク載置面に形成された少なくとも３つの支持用突起上に載置される。
このように構成された本発明によれば、貯水タンクが少なくとも３つの支持用突起上に載置されるので、水洗大便器本体の形状に製作誤差がある場合にも、貯水タンクをガタ無く確実に支持することができる。
【発明の効果】
【００２７】
本発明の水洗大便器用の貯水タンク及びそれを備えた水洗大便器によれば、貯水タンクを漏水の虞なく、作業性良く水洗大便器本体に結合することができる。
【図面の簡単な説明】
【００２８】
【図１】本発明の第１実施形態による水洗大便器全体を示す斜視図である。
【図２】本発明の第１実施形態による水洗大便器の貯水タンクカバーを取り外した状態を示す斜視図である。
【図３】本発明の第１実施形態による水洗大便器から貯水タンクを取り外した状態を示す斜視図である。
【図４】本発明の第１実施形態による貯水タンクの斜視図である。
【図５】本発明の第１実施形態による貯水タンクの分解斜視図である。
【図６】貯水タンクの水洗大便器本体への取り付け状態を示す断面図である。
【図７】固定手段の変形例を示す断面図である。
【図８】本発明の第２実施形態による水洗大便器全体を示す斜視図である。
【図９】本発明の第２実施形態による水洗大便器の貯水タンクカバーを取り外して貯水タンクの部分を拡大して示す斜視図である。
【図１０】固定プレートに止水栓を取り付けるための給水手段固定用プレートを示す斜視図である。
【図１１】止水栓の固定プレートへの取り付け状態を示す分解斜視図である。
【発明を実施するための形態】
【００２９】
次に、添付図面を参照して、本発明の好ましい実施形態を説明する。
まず、図１乃至図６を参照して、本発明の第１実施形態による水洗大便器を説明する。
図１は、本発明の第１実施形態による水洗大便器全体を示す斜視図である。図２は、本実施形態による水洗大便器の貯水タンクカバーを取り外した状態を示す斜視図である。図３は、本実施形態による水洗大便器から貯水タンクを取り外した状態を示す斜視図である。図４は、本発明の第１実施形態による貯水タンクの斜視図である。図５は、本実施形態による貯水タンクの分解斜視図である。図６は、貯水タンクの水洗大便器本体への取り付け状態を示す断面図である。
【００３０】
図１に示すように、本発明の第１実施形態による水洗大便器１は、水洗大便器本体２と、この水洗大便器本体２の上に載置された貯水タンク８（図２）を有する。水洗大便器本体２の上に載置された貯水タンク８は、貯水タンクカバー４により覆われている。本実施形態においては、水洗大便器本体２及び貯水タンクカバー４は陶器製である。この貯水タンクカバー４により内部の貯水タンク８を覆うことにより、貯水タンク８と水洗大便器本体２を結合するボルト等が外部に露出することが無く、水洗大便器１の外観を向上させることができる。また、貯水タンクカバー４を取り外すことにより、後述するように、貯水タンク８を水洗大便器本体２に容易に取り付け、取り外すことが可能になる。
【００３１】
水洗大便器本体２は、汚物を受けるボウル部２ａと、このボウル部２ａの底部から延びる排水トラップ管路２ｂと、を有する。また、貯水タンクカバー４の上端面には、洗浄スイッチ６が設けられており、この洗浄スイッチ６を操作することにより貯水タンク８内の洗浄水がボウル部２ａに吐水され、ボウル部２ａを洗浄することができる。
【００３２】
図２に示すように、水洗大便器１の貯水タンクカバー４を取り外すことにより、これに覆われていた貯水タンク８が露出される。貯水タンク８は、水洗大便器本体２のタンク載置面２ｃ上に載置されている。本実施形態においては、水洗大便器本体２の上端面はほぼ平面状に形成されており、水洗大便器本体２の上端面後部がタンク載置面２ｃを構成している。なお、水洗大便器本体２の上端面と、タンク載置面２ｃは、必ずしも同一平面上になくても良い。
【００３３】
図３に示すように、水洗大便器本体２のタンク載置面２ｃには、貯水タンク８内の洗浄水を流入させるタンク連結穴２ｄが形成され、２本の植込ボルト１０と、貯水タンク８を支持する３つの支持用突起１２が設けられている。
【００３４】
タンク連結穴２ｄは、タンク載置面２ｃのほぼ中央に設けられた円形の穴であり、このタンク連結穴２ｄに貯水タンク８が連結される。タンク連結穴２ｄから水洗大便器本体２内に流入した洗浄水は、ボウル部２ａの上部に設けられたリム吐水口（図示せず）、及び排水トラップ管路２ｂに対向するように設けられたジェット吐水口（図示せず）から吐出され、ボウル部２ａを洗浄する。
【００３５】
植込ボルト１０は、タンク連結穴２ｄの両側に、ほぼ左右対称の位置に配置され、タンク載置面２ｃから鉛直上方に向けて突出するように水洗大便器本体２に取り付けられたボルトである。
【００３６】
支持用突起１２は、水洗大便器本体２と一体に形成され、タンク載置面２ｃから上方に突出された突起である。３つの支持用突起１２のうちの２つは、各植込ボルト１０の前方近傍に配置され、残りの１つは、タンク連結穴２ｄの後方近傍に形成されている。本実施形態においては、陶器の水洗大便器本体２が形成された後、各支持用突起１２は、それらの各頂面が同一の水平面上に位置するように研磨される。これにより、形成された水洗大便器本体２の形状に製作誤差がある場合でも、貯水タンク８を正確に水平に支持することができる。
【００３７】
次に、図４及び図５を参照して、貯水タンク８の構成を説明する。
図４及び図５に示すように、貯水タンク８は、タンク本体１４と、このタンク本体１４の下部に取り付けられたタンク固定部である固定プレート１６と、タンク本体１４の内部に収納された排水弁１８（図５）と、を有する。
【００３８】
タンク本体１４は、タンク底面１４ａと、このタンク底面１４からほぼ鉛直上方に延びるタンク側面１４ｂと、タンク底面１４ａよりも上方に、ほぼ水平に延びるタンク棚部１４ｃとを備えた上端が開放された樹脂製の容器である。また、タンク底面１４ａのほぼ中央には洗浄水を流出させるタンク排水口１４ｅが形成されている。さらに、タンク底面１４ａには、タンク底面１４ａから下方に延びる２本のプレート固定用ボルト１４ｄが、タンク本体１４と一体に形成されている。これら２本のプレート固定用ボルト１４ｄは、タンク排水口１４ｅの両側に、タンク本体１４と固定プレート１６が接触するほぼ長方形状の面の、ほぼ対角線上に配置されている。
【００３９】
固定プレート１６は、概ね長方形状の金属製のプレートであり、両側の短辺から延びる張出部である２本のアーム部１６ａが形成され、このアーム部１６ａの先端部にはタンク固定穴１６ｂが夫々設けられている。これらのタンク固定穴１６ｂは、貯水タンク８が水洗大便器本体２のタンク載置面２ｃ上の所定の位置に配置されたとき、各植込ボルト１０と夫々対応する位置に設けられている。さらに、タンク固定穴１６ｂは、タンク底面１４ａの外周の閉曲線Ｃ（図５に太い実線で図示）を鉛直方向に投影した領域の外側に配置されている。さらに、各アーム部１６ａの基部には、アーム部１６ａの幅を狭くして容易に弾性変形させることができるように構成された可撓性部１６ｃが設けられている。これにより、各アーム部１６ａは鉛直方向に容易に曲げることができ、タンク固定穴１６ｂの位置を鉛直方向に移動させることができる。
【００４０】
さらに、固定プレート１６の、各プレート固定用ボルト１４ｄに対応する位置には、プレート固定用穴１６ｄが夫々設けられている。各プレート固定用ボルト１４ｄを夫々プレート固定用穴１６ｄに挿入し、プレート固定用ボルト１４ｄに連結ナット２０を螺合させることにより、固定プレート１６をタンク本体１４に固定することができる。また、固定プレート１６の、タンク排水口１４ｅに対応する位置には、プレート排水穴１６ｅ（図５）が夫々設けられている。
【００４１】
排水弁１８は、タンク本体１４内に収容される概ね円筒状の開閉弁機構であり、洗浄スイッチ６の操作により所定時間開放されて、タンク本体１４内の洗浄水を水洗大便器本体２に流出させるように構成されている。排水弁１８の下端部は、タンク本体１４のタンク排水口１４ｅ及び固定プレート１６のプレート排水穴１６ｅを貫通して、固定プレート１６から下方に突出される。排水弁１８の突出した下端部には排水弁固定ナット１８ａが螺合され、排水弁１８がタンク本体１４に固定される。さらに、排水弁１８の下端部は、パッキン１８ｂに嵌め込まれ、水洗大便器本体２との間の水密性が確保されている。
【００４２】
次に、図６を参照して、貯水タンク８の水洗大便器本体２への取り付け手順を説明する。
まず、水洗大便器本体２のタンク載置面２ｃの下側から、植込ボルト１０を上方に向けて突出させ、タンク載置面２ｃの上からワッシャー１０ａを植込ボルト１０に通し、植込ボルト固定用ナット１０ｂを螺合させる。これにより、植込ボルト１０がタンク載置面２ｃから上方に向けて突出するように固定される。
【００４３】
一方、タンク本体１４のタンク底面１４ａには、固定プレート１６が連結ナット２０により固定される。さらに、タンク本体１４には、排水弁１８が排水弁固定ナット１８ａにより固定される。
【００４４】
このように組み立てられた貯水タンク８を、水洗大便器本体２のタンク載置面２ｃ上に配置する。この際、貯水タンク８の底から延びる排水弁１８の先端部がタンク連結穴２ｄに挿入され、水洗大便器本体２から延びる２本の植込ボルト１０の先端部が固定プレート１６のタンク固定穴１６ｂに夫々挿入されるように、貯水タンク８を配置する。これにより、排水弁１８の先端部に配置されたパッキン１８ｂが、タンク本体の１４のタンク底面１４ａと、タンク連結穴２ｄの周縁部との間に挟まれ、貯水タンク８と水洗大便器本体２の間の水密性が確保される。
【００４５】
また、タンク載置面２ｃ上に載置された貯水タンク８は、タンク載置面２ｃに形成された３つの支持用突起１２（図３）によって支持される。上述したように、３つの支持用突起１２は、同一の水平面内に位置するように平面出しがなされているので、各支持用突起１２によって支持された貯水タンク８は、正確に水平に向けられる。
【００４６】
次いで、固定プレート１６のタンク固定穴１６ｂから上方に向けて突出している各植込ボルト１０に、ワッシャー２２ａを配置し、タンク固定用ナット２２ｂを螺合させて、貯水タンク８を水洗大便器本体２と結合する。従って、植込ボルト１０及びタンク固定用ナット２２ｂは、固定手段を構成する。
【００４７】
ここで、図６に示すように、本実施形態においては、タンク固定用ナット２２ｂを締めて貯水タンク８を固定した状態においても、固定プレート１６の裏側の面は、植込ボルト固定用ナット１０ｂの上端面から離れた状態になっている。このように、固定プレート１６とタンク載置面２ｃ（植込ボルト固定用ナット１０ｂの上端面）の間に隙間があるため、水洗大便器本体２の支持用突起１２の高さに製作誤差がある場合にも、この誤差を隙間により吸収することができる。逆に、支持用突起１２の高さが、植込ボルト固定用ナット１０ｂの上端面よりも低い場合には、固定プレート１６のアーム部１６ａが上方に弾性変形されて、誤差を吸収することができる。
【００４８】
また、固定プレート１６が植込ボルト固定用ナット１０ｂから離れた状態にあるため、植込ボルト固定用ナット１０ｂを更に大きなトルクで締め込むと、固定プレート１６が弾性変形される。この際、固定プレート１６のアーム部１６ａの基端には弾性変形しやすい可撓性部１６ｃが形成されているので、固定プレート１６は可撓性部１６ｃにおいて変形される。これにより、植込ボルト固定用ナット１０ｂを大きなトルクで締め過ぎた場合において、固定プレート１６全体が弾性変形されるのを防止することができる。固定プレート１６全体が弾性変形された場合には、タンク本体１４と固定プレート１６を連結している連結ナット２０をタンク本体１４から引き離す力が作用するので、タンク本体１４に形成されている樹脂製のプレート固定用ボルト１４ｄが損傷される虞があるが、本実施形態においてはこれを回避することができる。
【００４９】
本発明の第１実施形態の水洗大便器によれば、水洗大便器本体及びタンク本体の外部からタンク固定用ナットを締めることにより、タンク本体が水洗大便器本体に結合されるので、貯水タンクを作業性良く水洗大便器本体に結合することができる。
【００５０】
また、本実施形態の水洗大便器によれば、タンク本体と固定プレートが別体に形成されているので、それらを異なる材料で形成することができ、タンク本体、タンク固定部に夫々適した材料を選択することができる。
【００５１】
さらに、本実施形態の水洗大便器によれば、洗浄水と接触するタンク本体を樹脂で形成することにより、タンク本体の腐食等の劣化を防止することができると共に、貯水タンクの固定時に大きな力が作用するタンク固定部を金属で形成ことにより、貯水タンク固定時における固定プレートの破壊を防止することができる。
【００５２】
また、本実施形態の水洗大便器によれば、タンク本体と固定プレートが、タンク本体に一体に形成されたプレート固定用ボルトにより固定されるので、タンク本体に穴を設けることなく、タンク本体と固定プレートをボルト止めすることができ、タンク本体からの漏水を確実に防止することができる。
【００５３】
さらに、本実施形態の水洗大便器によれば、各プレート固定用ボルトは、タンク本体と固定プレートが接触する概ね長方形の面のほぼ対角線上に配置されているので、タンク本体側面を上記長方形の短辺の方向に押す外力に効果的に対抗することができ、タンク本体を固定プレートに強固に固定することができる。
【００５４】
また、本実施形態の水洗大便器によれば、固定プレートが可撓性部を備えているので、タンク固定用ナットによりアーム部に過大な力が加わった場合にも、可撓性部が弾性変形されることによりアーム部の移動が許容され、固定プレート全体の変形を回避することができる。これにより、固定プレート全体が変形されることによるプレート固定用ボルトの破損等の不具合の発生を防止することができる。また、固定プレートを水洗大便器本体上のタンク載置面や支持突起に載置した場合、製造誤差等により鉛直方向の寸法にばらつきがあっても、可撓性部が弾性変形されることにより、固定プレート全体が変形することを回避することができる。
【００５５】
さらに、本実施形態の水洗大便器によれば、タンク固定用ナットの上方に張り出すように、タンク本体にタンク棚部が設けられているので、タンク本体外部からタンク固定用ナットを締めることを可能にしながら、タンク本体の内容積を大きくすることができる。
【００５６】
また、本実施形態の水洗大便器によれば、貯水タンクが３つの支持用突起上に載置されるので、水洗大便器本体の形状に製作誤差がある場合にも、貯水タンクをガタ無く確実に支持することができる。また、３つの支持用突起の上端面を精度良く仕上げることにより、貯水タンクを正確に水平に支持することができる。
【００５７】
また、上述した第１実施形態においては、固定プレートと水洗大便器本体を結合する固定手段が、植込ボルトとタンク固定用ナットにより構成されていたが、他の手段によりそれらを結合しても良い。
さらに、上述した第１実施形態においては、タンク本体とプレート固定用ボルトが一体に構成されていたが、プレート固定用ボルトをタンク本体の底面外側に着脱自在に構成し、タンク本体とプレート固定用ボルトを別体に構成することもできる。
【００５８】
図７は、固定手段の変形例を示す断面図である。
この変形例においては、固定手段は、タンク固定用ボルト３０と、このタンク固定用ボルト３０が中に通された円筒形の弾性変形部材３２と、弾性変形用ナット３４から構成されている。
【００５９】
タンク固定用ボルト３０は、固定プレート１６のタンク固定穴１６ｂに上側から挿入される。弾性変形用ナット３４は、その外周が円筒形の弾性変形部材３２の下部の内壁面に固定されている。固定プレート１６の下側から突出するタンク固定用ボルト３０に弾性変形部材３２を被せ、タンク固定用ボルト３０と弾性変形用ナット３４を螺合させる。これにより、弾性変形部材３２が固定プレート１６に取り付けられる。
【００６０】
次に、固定プレート１６に取り付けられた弾性変形部材３２を、水洗大便器本体２のタンク載置面２ｃに設けられた穴に挿入する。この状態でタンク固定用ボルト３０を回転させると、ネジ作用により弾性変形用ナット３４が引き上げられる。これに伴い、弾性変形部材３２が図７に想像線で示すように変形され、タンク固定用ボルト３０が水洗大便器本体２から抜けなくなる。これにより、固定プレート１６が水洗大便器本体２に固定される。
【００６１】
また、上記の変形例では、弾性変形部材３２がタンク載置面２ｃの背面側で拡張され、タンク固定用ボルト３０が固定されたが、タンク載置面２ｃが厚い場合には、弾性変形部材３２をタンク載置面２ｃの穴の内部で拡張させても良い。この場合には、拡張された弾性変形部材３２と穴の内壁面の間の摩擦により、タンク固定用ボルト３０が固定される。
上記の変形例の他、スナップ止め、割ピン等を固定手段として使用することもできる。
【００６２】
次に、図８乃至図１１を参照して、本発明の第２実施形態による水洗大便器を説明する。本実施形態の水洗大便器は、貯水タンクカバーの側面下部から突出するように、局部洗浄装置（図示せず）へ給水を停止させるための止水栓が取り付けられている点が、上述した第１実施形態とは異なる。従って、ここでは、本実施形態の第１実施形態とは異なる点のみを説明する。
【００６３】
図８は、本発明の第２実施形態による水洗大便器全体を示す斜視図である。図９は、本実施形態による水洗大便器の貯水タンクカバーを取り外して貯水タンクの部分を拡大して示す斜視図である。図１０は、固定プレートに止水栓を取り付けるための給水手段固定用プレートを示す斜視図である。図１１は、止水栓の固定プレートへの取り付け状態を示す分解斜視図である。
【００６４】
図８に示すように、本発明の第２実施形態による水洗大便器１００は、水洗大便器本体１０２と、貯水タンク１０８（図９）とを有する。貯水タンク１０８は、貯水タンクカバー１０４により覆われている。また、この貯水タンクカバー１０４の側面下部から突出するように、給水手段である止水栓１０５が取り付けられている。
【００６５】
図９に示すように、貯水タンク１０８は、タンク本体１１４と、このタンク本体１１４の下部に取り付けられたタンク固定部である固定プレート１１６と、タンク本体１１４の内部に収納された排水弁１１８と、を有する。さらに、固定プレート１１６には、止水栓１０５を取り付けるための給水手段固定用プレート１３８が取り付けられている。
【００６６】
固定プレート１１６は、概ね長方形状の金属製のプレートであり、両側の短辺から延びる張出部である２本のアーム部１１６ａ（図９には片側のみ図示）が形成されている。これらのアーム部１１６ａが各植込ボルト及びナットにより水洗大便器本体１０２に固定される。
【００６７】
図１０に示すように、固定プレート１１６には、さらに、第２の張出部である給水手段固定部１１６ｂが形成されている。この給水手段固定部１１６ｂは、固定プレート１１６と一体に、アーム部１１６ａのうちの一方の後方側に、アーム部１１６ａと同一の平面内に突出するように形成されている。
【００６８】
給水手段固定用プレート１３８は、概ねＬ字型に曲げられた金属板であり、Ｌ字型の長辺が給水手段固定部１１６ｂに重ねられるように、給水手段固定部１１６ｂにネジ止めされる。さらに、給水手段固定用プレート１３８には、給水手段固定用プレート１３８を給水手段固定部１１６ｂに位置調整可能に取り付けるための固定位置調整手段である２つの長孔１３８ａが形成されている。これらの長孔１３８ａにより、給水手段固定用プレート１３８を給水手段固定部１１６ｂにネジ止めする位置を水洗大便器の横方向に調節することができる。
【００６９】
さらに、給水手段固定用プレート１３８には、止水栓１０５を取り付けるための給水手段固定手段である２つの固定用バンド１４０ａ、１４０ｂを固定するための４つの雌ネジ孔１３８ｂが設けられている。止水栓１０５は、その基端部を、固定用バンド１４０ａによりＬ字型の給水手段固定用プレート１３８の短辺側に固定され、その先端部を、固定用バンド１４０ｂにより給水手段固定用プレート１３８の長辺側に固定される。これらの固定用バンド１４０ａ、１４０ｂは、概ねＵ字型に曲げられた所定の幅を有する薄い金属板によって構成されており、止水栓１０５の周囲を締め付けることにより止水栓１０５を給水手段固定用プレート１３８に固定する。これらの固定用バンドとして、止水栓１０５の形態に応じた汎用品を使用することもできる。
【００７０】
図９に示すように、洗浄水導入部１３０から導入された水道水は、Ｔ字管１３２によって２つに分岐され、その一方は、給水管１３４を介して止水栓１０５に送られ、他方は給水管１３６を介してタンク本体１１４内に導入される。止水栓１０５に送られた洗浄水は、止水栓１０５に接続されたフレキシブルホース１０５ａを介して局部洗浄装置（図示せず）に供給される。止水栓１０５は、通常使用時は開放されており、局部洗浄装置のメンテナンス時等に閉鎖される。
【００７１】
次に、図１１を参照して、止水栓１０５の取り付け手順の一例を説明する。
まず、止水栓１０５を、固定用バンド１４０ａ、１４０ｂにより、給水手段固定用プレート１３８に固定する。次に、２本のビス１４２を、給水手段固定用プレート１３８の各長孔１３８ａに通して、給水手段固定部１１６ｂに設けられた各雌ネジ孔１１６ｃに螺合させる。これにより、給水手段固定用プレート１３８が給水手段固定部１１６ｂに仮固定される。この仮固定では、各ビス１４２を緩く締めておき、給水手段固定用プレート１３８が長孔１３８ａに沿ってスライドできるようにしておく。
【００７２】
次に、フレキシブルホース１０５ａを止水栓１０５のフレキシブルホース取付部１０５ｂに接続し、給水管１３４を給水管取付部１０５ｃに接続する。さらに、給水手段固定用プレート１３８を長孔１３８ａに沿ってスライドさせ、止水栓１０５を所定の位置に位置決めする。最後に、各ビス１４２を締め付け、給水手段固定用プレート１３８を給水手段固定部１１６ｂに固定する。
なお、フレキシブルホース１０５ａを止水栓１０５に接続する工程は、止水栓１０５を所定の位置に位置決めし、各ビス１４２を完全に締め付けた後に行っても良い。
【００７３】
給水手段固定用プレート１３８を長孔１３８ａに沿ってスライドさせることにより、水洗大便器本体１０２等の寸法に製造上の誤差がある場合でも、誤差は吸収され、止水栓１０５は適正な位置に位置決めされる。また、フレキシブルホース１０５ａを止水栓１０５に接続した後、止水栓１０５の位置を調節しているので、フレキシブルホース１０５ａを止水栓１０５に固定する袋ナット１０５ｄ（図９）が水洗大便器本体１０２の側面に極めて近く袋ナット１０５ｄの締め付けが困難な位置にも止水栓１０５を位置決めすることができる。
【００７４】
本発明の第２実施形態の水洗大便器によれば、固定プレートに止水栓を取り付けているので、タンク本体に止水栓取り付け用の貫通穴等を設けることなく止水栓を固定することができ、止水栓の取り付けに伴う漏水等の危険を回避することができる。
【００７５】
また、本実施形態の水洗大便器によれば、止水栓が固定プレートに取り付けられているので、止水栓をタンク本体と共に取り外すことができ、取り付け、取り外しの際の、止水栓とタンク本体の干渉を回避することができる。
さらに、本実施形態の水洗大便器によれば、止水栓が給水手段固定用プレートを介して給水手段固定部に固定されるので、止水栓を容易に固定することができる。
【００７６】
また、本実施形態の水洗大便器によれば、給水手段固定用プレートを交換することにより、種々の形態の止水栓等を同一の給水手段固定部に取り付けることができる。
さらに、本実施形態の水洗大便器によれば、止水栓が固定用バンドにより固定しているので、固定用バンドとして汎用品を流用することができる。
【００７７】
また、本実施形態の水洗大便器によれば、固定用バンドによる固定は、給水手段を上方から覆い隠してしまう形態の給水手段固定手段を使用した場合に比べ、施工性を良好にすることができる。
【００７８】
さらに、本実施形態の水洗大便器によれば、給水手段固定用プレートの固定位置が長孔により調整されるので、水洗大便器本体等の形状誤差を吸収して、適正な位置に止水栓を固定することができる。
【００７９】
また、上述した本発明の第２実施形態においては、給水手段として止水栓が貯水タンクに取り付けられていたが、止水栓に代えて定流量弁等の弁体、給水用の配管等、種々の給水手段を貯水タンクに取り付けることができる。
【００８０】
また、上述した第２実施形態においては、給水手段固定用プレートは、水洗大便器の側方に位置調整可能であったが、任意の方向の摺動、又は回転ができるように位置調整手段を構成することができる。
【００８１】
以上、本発明の好ましい実施形態を説明したが、上述した実施形態に種々の変更を加えることができる。特に、上述した実施形態においては、タンク本体とタンク固定部である固定プレートが別体で構成されていたが、これらを一体に構成することもできる。
【符号の説明】
【００８２】
１        水洗大便器
２        水洗大便器本体
２ａ      ボウル部
２ｂ      排水トラップ管路
２ｃ      タンク載置面
２ｄ      タンク連結穴
４        貯水タンクカバー
６        洗浄スイッチ
８        貯水タンク
１０      植込ボルト
１０ａ    ワッシャー
１０ｂ    植込ボルト固定用ナット
１２      支持用突起
１４      タンク本体
１４ａ    タンク底面
１４ｂ    タンク側面
１４ｃ    タンク棚部
１４ｄ    プレート固定用ボルト（固定部固定用ボルト）
１４ｅ    タンク排水口
１６      固定プレート（タンク固定部）
１６ａ    アーム部（張出部）
１６ｂ    タンク固定穴
１６ｃ    可撓性部
１６ｄ    プレート固定用穴
１６ｅ    プレート排水穴
１８      排水弁
１８ａ    排水弁固定ナット
１８ｂ    パッキン
２０      連結ナット
２２ａ    ワッシャー
２２ｂ    タンク固定用ナット
１００    本発明の第２実施形態による水洗大便器
１０２    水洗大便器本体
１０４    貯水タンクカバー
１０５    止水栓（給水手段）
１０５ａ  フレキシブルホース
１０５ｂ  フレキシブルホース取付部
１０５ｃ  給水管取付部
１０５ｄ  袋ナット
１０８    貯水タンク
１１４    タンク本体
１１６    固定プレート（タンク固定部）
１１６ａ  アーム部（張出部）
１１６ｂ  給水手段固定部（張出部）
１１８    排水弁
１３０    洗浄水導入部
１３２    Ｔ字管
１３４    給水管
１３６    給水管
１３８    給水手段固定用プレート
１３８ａ  長孔（固定位置調整手段）
１４０ａ、１４０ｂ  固定用バンド（給水手段固定手段）
１４２    ビス
【図１】
2010007451.tif 000003
【図２】
2010007451.tif 000004
【図３】
2010007451.tif 000005
【図４】
2010007451.tif 000006
【図５】
2010007451.tif 000007
【図６】
2010007451.tif 000008
【図７】
2010007451.tif 000009
【図８】
2010007451.tif 000010
【図９】
2010007451.tif 000011
【図１０】
2010007451.tif 000012
【図１１】
2010007451.tif 000013